(57)【要約】      （修正有）【課題】魚への負担を可能な限り軽減してそれらを解消し、釣り魚の対象範囲を拡大する魚装着式連結具を用いるストリンガーを提供する。【解決手段】２種類の魚装着式連結具１，２は、先端から魚の下顎先端部を内部に向けて穿刺し、口腔を経て吻外に貫通させて装着する。次に魚装着式連結具１，２の丸環を連結器として魚装着式連結具を用いるストリンガー金具３で、ロープなどの紐体４ｅに固定する。金具３は数珠つなぎ状態にしておき、魚装着式連結具を装着した魚を次々つなぎ止めてストッパー用紐体上を通過させながら水中に落とし込み活かしていく。これを水中に吊り下げたり海底まで沈めたり、又は浮かせたりして使用する。それは釣り場の状況により選択する。【選択図】図５
0003194726.tif 000002
【実用新案登録請求の範囲】
【請求項１】
本ストリンガーの部品は大きく４種類に分割される。このシステムの中心を担うものは、図１と図２に示す２種類の「釣具用フィッシュピアス」である。これは魚の下顎に装着するもので（図５参照）、先端に設けた丸環、図１の１ｂ及び図２の２ｂを連結器として利用するものである。「釣具用フィッシュピアス」は魚の顎の形態により、ハードなタイプ図１とソフトなタイプ図２が必要である。
更に魚を係止するためのストリンガー金具（図３）と、これを固定するためのロープなどの紐体から成るストリンガー本体、図４（ａ）の４に分割される。また、これらの構成部品にはサイズ及び強度に違いを設け、魚種や大きさに対応する。
本ストリンガーはこれらの部品を種々組み合わせることにより、大きさに対する適用範囲が広く、多種多様の釣り魚に対応できるストリンガーとなる。この機能性は「釣具用フィッシュピアス」の開発によるものである。
以上、本ストリンガーの中心となる「釣具用フィッシュピアス」を使用し、その機能を発現するための、関連部品との組み合わせ、及びその構成により発現される種々の機能（いずれも他の関係項などで説明済み。）などを特徴とする、「釣具フィッシュピアスを用いるストリンガー」。
【請求項２】
請求項１に挙げる４部品のうち、図１に示す「釣具用フィッシュピアス」は、突起１ａのある丸環側を先端として、魚の下顎先端部から内部に向けて穿刺し、口腔を経て吻外に貫通させた後、丸環１ｂを連結器として利用し、釣用フック図３の３ａなどで魚をキープし、図５（ａ）参照。水中で活かすための釣具である。図６参照。
その本体１の形状は、１本のワイヤーをより合わせることにより成型されている。これに顎宛１ｃを通し、その背後をハート型１ｄにして魚の抜け防止や顎の保護、更に荷重にも耐えられるよう成型されている。ハート型は顎宛の座りが良く、最も効果的な形状である。
製作には金属などの硬い材料（穿刺しやすく耐久性のある物）を使い、顎宛１ｃには板状の天然ゴム又は合成ゴムなどの弾性体、又は合成樹脂などを用いる。図１（ｂ）の側面図に示す形状は、下顎を貫通しやすくすると共に、つないだ後や吊り下げた時、顎をしっかり捕らえるための形状である。
また、本物品の素材に付いては、特に小型魚（ハゼ釣りなど）に用いるフィッシュピアスにあっては、金属部分などを合成樹脂製に替えるなどして更に小型軽量化を図り、魚への負担を軽減して対応する。
以上、ここに挙げる仕組みと形状、及びそれらを元に発現する種々の機能（他の項での説明を含む）などを特徴とするハードタイプの「釣具用フィッシュピアス」。
【請求項３】
請求項１に挙げる４部品のうち、図２に示す「釣具用フィッシュピアス」は、突起２ａのある丸環側から魚の下顎先端部を内部に向けて穿刺し、口腔を経て吻外に貫通させた後、丸環２ｂを連結器として利用し、釣用フック図３の３ａなどで魚をキープし、図５（ｂ）参照。水中で活かすための釣具である。図６参照。
その本体２の形状は、１本のワイヤーをより合わせて成型した先端部２ｃと、後環２ｄを介して後部につないだ紐体２ｅ、それに通した顎宛２ｆから成る。顎宛の背後では紐体を結び２ｇ、魚の抜け防止や顎の保護、更に荷重を支える。顎部にソフトな材料を用いることで、魚の動きが楽になり、顎の保全性も良くなります。また紐体２ｅに色違いのものを用いると、ストリンガーを共同で使う場合、互いの釣った魚を識別できます。
先端部２ｃには金属などの、硬くて穿刺しやすく耐久性のある材料を使い、顎宛２ｆには板状の天然ゴム又は合成ゴムなどの弾性体、又は合成樹脂などを用いる。
また、本物品の素材に付いては、特に小型魚（ハゼ釣りなど）に用いるフィッシュピアスにあっては、金属部分などを合成樹脂製に替えるなどして更に小型軽量化を図り、魚への負担を軽減して対応する。
以上、ここに挙げる仕組みと形状、及びそれらを元に発現する種々の機能（他の項での説明を含む）などを特徴とするソフトタイプの「釣具用フィッシュピアス」。
【請求項４】
請求項１に挙げる４部品のうち、図３に示す「釣具フィッシュピアス用のストリンガー金具」は、釣用フック３ａとさるかん３ｂ及びコの字型金具３ｃを一体化した物で、コの字の両辺３ｄは同大の丸環、縦はストレートな形状となっている。これを「ストリンガー金具」と呼ぶ。この金具にロープなどの紐体を通して固定せしめた上（図４参照）、フィッシュピアスを装着した魚をフック３ａでキープし、水中で活かすための釣具である。図５及び図６参照。
係止した魚はコの字３ｃの縦の辺を上下左右に動きます。これにより魚は互いの間隔を保ちます。また、金具はロープなどの紐体を軸にフリーなので、魚の動きに合わせて移動できます（図６参照）。これらの動きは魚同士の絡み合いを防ぎます。またストリンガーを水中から吊り上げた時、魚の荷重を下辺にのみ集めて変形を防ぎ、恒常性を保ちます。
またコの字型金具に付いては、特に小型魚（ハゼ釣りなど）に用いる物品にあっては、合成樹脂製に替えるなどして更に小型軽量化を図り、魚への負担を軽減して対応する。
以上、ここに挙げる仕組みと形状、及びそれらを元に発現する種々の機能（他の項での説明を含む）などを特徴とする「釣具フィッシュピアス用のストリンガー金具」。
【請求項５】
請求項１に挙げる４部品のうち、図４に示す「釣具フィッシュピアスを用いるストリンガー」は、数珠つなぎ（数は任意）にしたストリンガー金具、図４（ａ）の３に、フィッシュピアスを装着した魚を次々つなぎ止めて水中に落とし込み、活かすための釣具である（図５及び図６参照）。予めセットされた金具の落下防止は、通過抵抗を利用した仕組みである、待機金具落下防止用ストッパー図４（ｂ）の４ｉが行う。
本ストリンガーの構成、図４（ａ）は、おもり４ａを細紐体４ｂで４ｃのフックにつなぎ、これを４ｄの結束（又は固定紐など）により４ｅの紐体に固定する。４ｅは４ｇの底延防止用立ち上げ浮きの中を通り、４ｆ、４ｈの結束（又は固定紐など）でこれを固定する。更に上部任意の位置にストッパー用紐体４ｊを装着し、４ｉを形成する。その上に必要数のストリンガー金具３をセットし、ロープエンド４ｋを形成すると「釣具フィッシュピアスを用いるストリンガー」図４（ａ）が完成する。本物品の、ストリンガー金具３、未装着状態のものが本体４となる。
図４（ｂ）は縒り紐体ロープの目にストッパー用紐体４ｊを装着した状態を示すものである。４ｊには、ゴム紐体または紐体などを、本体ロープ４ｅを遮る形に装着する。ストリンガー使用時は、魚に装着したフィッシュピアスの丸環を、フック３ａでキープした後、ストッパー用紐体４ｊ上を、上から下へ押し下げ、通過後解放する。このストッパー用紐体は、ストリンガー収納時の結束紐として利用する。
底延防止用立ち上げ浮き４ｇには円柱穴あき発泡スチロールなどの浮き用素材を用いる。これはロープの根掛り防止や、つないだ魚を底から離すなどの大切な役割を担うものである（図６参照）。また、本体に用いる紐体に付いては、対象魚や使用環境に合わせ、ワイヤー又はワイヤーロープなどでも対応する。以上は本ストリンガー構成の基本型である。
以上、ここに挙げるストリンガー本体４の仕組みと形状、及びそれらを元に発現する種々の機能（他の項での説明を含む）などを特徴とする「釣具フィッシュピアスを用いるストリンガー」本体４と構成の基本型。
【考案の詳細な説明】
【技術分野】
【０００１】
本考案は、釣り魚を係止して活かすためのストリンガーに関する。
【背景技術】
【０００２】
従来のストリンガーは比較的大型の釣り魚を対象としている。従ってフックなどの部品も大型で重量もある。また、係止せしめるためのフックそのものが魚の口からエラ、又は下顎に装着される仕組みである。このため魚への負担は大きく、対象となる釣り魚も限定されている。また係止するための紐体には、係止片を用いた固定式の物とフリーの物がある。また必要に応じて紐体に取り付けるストリンガー用係止部材も考案されているが、どれも拘束度合いが強く、魚にとっては負担が大きい。（以上、特許文献１〜３参照）
【先行技術文献】
【特許文献】
【０００３】
【特許文献１】特開２００５−１９８５３５号  公報
【特許文献２】特開２０１１−１３５８５３号  公報
【特許文献３】特開２０１２−１５２１６６号  公報
【考案の概要】
【考案が解決しようとする課題】
【０００４】
「魚への負担を軽減し、用途を広げる」。特定の魚種や大きさを目的とした釣り行きもあるが、必ずしも目的の魚が釣れる訳ではない。また、釣り人の多くは一般的な釣りを楽しんでいる。このような釣りでは種々の魚が釣れ、大きさも大小不同のことが多い。
しかし従来のストリンガーでは、このようなバラエティーに富んだ釣果には対応し辛い。このような釣りでは、大きさに対する適用範囲が広く、多種多様の魚に対応できるストリンガーが望ましい。これを解決すればストリンガーの用途は広がり、自分の釣りスタイルに合わせたストリンガーを持つこともできる。これがストリンガーの理想的な形と考える。
【課題を解決するための手段】
【０００５】
そこで、新たな仕組みによる「釣具フィッシュピアスを用いるストリンガー」を提供する。図１及び図２に示す「釣具用フィッシュピアス」を用いることにより、係止関連部品の分割と小型軽量化ができる。そのため魚への負担を軽減することができる。また、こうしてできた関連部品、図１〜図４（ａ）の４を種々組み合わせることにより、釣り行きに合わせたストリンガーを創ることができる。また、このシステムによるストリンガーは、個人個人の釣りスタイルに合わせたものとなり、最も理想的な形となる。
【０００６】
本ストリンガーの部品は大きく４種類に分割される。このシステムの中心を担うものは、図１と図２に示す２種類の「釣具用フィッシュピアス」である。これは魚の下顎に装着するもので（図５参照）、先端に設けた丸環、図１の１ｂ及び図２の２ｂを連結器として利用する。更に魚を係止するためのストリンガー金具（図３）と、これを固定するためのロープなどの紐体から成るストリンガー本体、図４（ａ）の４に分割される。下記に各部品の特徴及び役割を説明する。
【０００７】
まず、図１に示す「釣具用フィッシュピアス」について説明する。
本物品は図１に示す通り、突起１ａのある丸環側を先端として、魚の下顎先端部から内部に向けて穿刺し、口腔を経て吻外に貫通させた後、丸環１ｂを連結器として利用し、釣用フック図３の３ａなどで魚をキープし、図５（ａ）参照。水中で活かすための釣具である。図６参照。
その本体１の形状は、１本のワイヤーをより合わせることにより成型されている。これに顎宛１ｃを通し、その背後をハート型１ｄにして魚の抜け防止や顎の保護、更に荷重にも耐えられるよう成型されている。ハート型は顎宛の座りが良く、最も効果的な形状である。
製作には金属などの硬い材料（穿刺しやすく耐久性のある物）を使い、顎宛１ｃには板状の天然ゴム又は合成ゴムなどの弾性体、又は合成樹脂などを用いる。図１（ｂ）の側面図に示す形状は、下顎を貫通しやすくすると共に、つないだ後や吊り下げた時、顎をしっかり捕らえるための形状である。物品には、サイズ及び強度に違いを設け、魚種や大きさに対応する。硬くて丈夫なことから多くの魚種や大きさに対応できるが、特に顎が強く歯の鋭い石鯛、石垣鯛、カワハギ、フグなどには最適である。図５（ａ）及び図６参照。
【０００８】
次に、図２に示す「釣具用フィッシュピアス」について説明する。ソフトで軽量、顎をやさしく保全する。通常の釣り魚にはこれで十分である。鯛でも黒鯛でも大丈夫です。大半の釣り魚に使えます。
本物品は図２に示す通り、突起２ａのある丸環側から魚の下顎先端部を内部に向けて穿刺し、口腔を経て吻外に貫通させた後、丸環２ｂを連結器として利用し、釣用フック図３の３ａなどで魚をキープし、図５（ｂ）参照。水中で活かすための釣具である。図６参照。
その本体２の形状は、１本のワイヤーをより合わせて成型した先端部２ｃと、後環２ｄを介して後部につないだ紐体２ｅ、それに通した顎宛２ｆから成る。顎宛の背後では紐体を結び２ｇ、魚の抜け防止や顎の保護、更に荷重を支える。顎部にソフトな材料を用いることで、魚の動きが楽になり、顎の保全性も良くなります。また紐体２ｅに色違いのものを用いると、ストリンガーを共同で使う場合、互いの釣った魚を識別できます。
先端部２ｃには金属などの、硬くて穿刺しやすく耐久性のある材料を使い、顎宛２ｆには板状の天然ゴム又は合成ゴムなどの弾性体、又は合成樹脂などを用いる。物品にはサイズ及び強度に違いを設け、魚種や大きさに対応する。
【０００９】
次に、図３に示す「釣具フィッシュピアス用のストリンガー金具」について説明する。コの字型金具の形状に特長があります。
本物品は釣用フック３ａとさるかん３ｂ及びコの字型金具３ｃを一体化した物で、コの字の両辺３ｄは同大の丸環、縦はストレートな形状となっている。これを「ストリンガー金具」と呼ぶ。この金具にロープなどの紐体を通して固定せしめた上（図４参照）、フィッシュピアスを装着した魚をフック３ａでキープし、水中で活かすための釣具です。図５及び図６参照。
ストリンガーでは魚同士の間隔を保つことは必要である。係止した魚はコの字の縦の辺３ｃを上下左右に動きます。これにより魚は互いの間隔を保ちます。また、金具はロープなどの紐体を軸にフリーなので、魚の動きに合わせて移動できます（図６参照）。これらの動きは魚同士の絡み合いを防ぎます。またストリンガーを水中から吊り上げた時、魚の荷重を下辺にのみ集めて変形を防ぎ、恒常性を保ちます。物品にはサイズ及び強度に違いを設け、魚種や大きさに対応する。
【００１０】
次に、図４に示す「釣具フィッシュピアスを用いるストリンガー」について説明する。これは、利用者の使用目的に合わせて製作できる、新しいストリンガーシステムである。
本物品は、数珠つなぎ（数は任意）にしたストリンガー金具、図４（ａ）の３に、フィッシュピアスを装着した魚を次々つなぎ止めて水中に落とし込み、活かすための釣具である（図５及び図６参照）。金具は予め釣果予想数をセットしておくのが便利である。この金具の落下防止は、ゴム紐体などの紐体４ｊの通過抵抗を利用した仕組みである、待機金具落下防止用ストッパー４ｉが行う。図４（ｂ）参照。
本ストリンガーの構成、図４（ａ）は、おもり４ａを細紐体４ｂで、４ｃのフックにつなぎ、これを４ｄの結束（又は固定紐など）により４ｅの紐体に固定する。４ｅは４ｇの底延防止用立ち上げ浮きの中を通り、４ｆ、４ｈの結束（又は固定紐など）でこれを固定する。更に上部任意の位置にストッパー用紐体４ｊを装着し、４ｉを形成する。図４（ｂ）参照。その上に必要数のストリンガー金具３をセットする。次にロープエンド４ｋを形成すると「釣具フィッシュピアスを用いるストリンガー」図４（ａ）が完成する。（ストリンガー金具未装着のものが本体４となる。）
通常の使い方は、水中に吊り下げたり、海底（図６の７）まで沈めたりして使用するが、底が険しく根掛りが予想される場所では、おもりを着けない状態、もしくは別途フロートを準備して置き、４ｃのフックにつないで水面近くまで浮かせて使用することも可能である（釣場の状況により選択）。  底延防止用立ち上げ浮き４ｇには円柱穴あき発泡スチロールなどの浮き用素材を用いる。これはロープの根掛り防止や、つないだ魚を底から離すなどの大切な役割を担う（図６参照）。  
図４（ｂ）は縒り紐体ロープの目にストッパー用紐体４ｊを装着した状態を示すものである。このストッパーは、ゴム紐体又は紐体を用いて本体ロープ４ｅを遮る形に装着する。
ストリンガー使用時は、魚に装着したフィッシュピアスの丸環を、フック３ａでキープした後、ストッパー用紐体４ｊ上を、上から下へ押し下げ、通過後解放する。このストッパー用紐体は、ストリンガー収納時の結束紐として利用する。
また、これらの構成部品には、サイズ及び強度に違いを設け、魚種や大きさに対応すると共に、釣り行きの目的や対象魚によっても種々選択できる仕組みとする。
以上は本ストリンガー構成の基本型となる。
【考案の効果】
【００１１】
上述したように本考案の「釣具フィッシュピアスを用いるストリンガー」は、「釣具用フィッシュピアス」を中心としたストリンガーシステムである。本物品を用いることにより、魚への負担を軽減すると共に拘束度合いを下げ、魚種や大きさに対する適用範囲を広げ、バラエティーに富んだ釣果や、多種多様の釣り行きに対応できる、用途の広いストリンガーを提供することができる。
【００１２】
ストリンガーでは魚同士の間隔を保つことは必要である。しかし必要以上の間隔は無駄である。そこで、コの字型金具（図３の３ｃ参照）により常に一定の間隔を保った上、本ストリンガーシステムにより、魚の活力や動きを最大限に保全する。こうすることにより、魚自らが接触を避けようとして適当に広がり、傷付けあうことは殆どない（但し、カワハギは背鰭棘を切ったほうが良い）。これは、魚を出来るだけフリーの状態でキープし、自身の持つ力を最大限温存して接触回避に役立てようとするものである。魚はストレスを軽減するほど元気で長く生きるので、不要な魚のリリースも容易となる。
【００１３】
特に紐体を用いた「釣具用フィッシュピアス」図２は、当たりがソフトで魚への負担が少ない。そのため特に顎が強く歯の鋭い石鯛、石垣鯛、カワハギ、フグなどを除く多くの魚に適している。またフィッシュピアスをはじめ各部品は、従来のストリンガーに比べ軽量で、係止方法も間接的である。このため拘束度合いが低くなり魚への負担は少なくなる。
使用に当たっては、おもりの脱着やフロートの使用も可能で、柔軟性がある。更に待機金具落下防止用ストッパーや、底延防止用立ち上げ浮きの採用により使い易く工夫されており、釣場の状況に合わせた柔軟な対応ができる。
【００１４】
また、本ストリンガー用部品にはサイズ及び強度に違いを設けることができるので、製品も豊富となり、更に用途が広がると思われる。これによりストリンガーへの認識も変わり、今まで以上に身近な釣具として定着する可能性が考えられる。
以上、この選べるシステムにより組み立て可能なストリンガーは、個人個人の釣りスタイルに合わせたものとなり、最も理想的な形となる。
【図面の簡単な説明】
【００１５】
【図１】ワイヤーから成形された釣具用フィッシュピアス。（ａ）は底面斜視図。（ｂ）は側面図
【図２】ワイヤーから成形された先端部と紐体連結形の釣具用フィッシュピアス。（ａ）は背面斜視図。（ｂ）は平面図
【図３】釣具フィッシュピアス用のストリンガー金具。（ａ）は斜視図。（ｂ）はフックを開いた状態での平面図。
【図４】「釣具フィッシュピアスを用いるストリンガー」。（ａ）は待機状態のストリンガー全景。（ｂ）はストッパーの仕組みを示す参考拡大図。
【図５】釣具用フィッシュピアスを装着した釣り魚をストリンガー金具にキープした状態を示す。（ａ）は顎が強く歯の鋭い魚の例。（ｂ）はそれ以外の魚の例。
【図６】「釣具フィッシュピアスを用いるストリンガー」の使用例。
【考案を実施するための形態】
【００１６】
本ストリンガーは、２種類の「釣具用フィッシュピアス」図１及び図２と、これを装着した魚を係止するための「ストリンガー金具」図３及び「ストリンガー本体」図４（ａ）の４などから構成される。これは新しい仕組みによるストリンガーシステムである（図５参照）。
【実施例１】
【００１７】
２種類の「釣具用フィッシュピアス」は、１ａ及び２ａの先端から魚の下顎先端部を内部に向けて穿刺し、口腔を経て吻外に貫通させて装着する。次に１ｂ及び２ｂの丸環を連結器として「釣具フィッシュピアス用のストリンガー金具」図３で、ロープなどの紐体４ｅに固定する（図５参照）。金具は数珠つなぎ（数は任意）図４（ａ）状態にしておき、フィッシュピアスを装着した魚を次々つなぎ止めてストッパー用紐体４ｊ上を通過させながら水中に落とし込み活かしていく。これを水中に吊り下げたり海底７まで沈めたり（図６参照）、又は浮かせたりして使用する。それは釣り場の状況により選択する。
【実施例２】
【００１８】
ストリンガー本体４の紐体には待機金具落下防止用ストッパー４ｉが付いているので、ストリンガー金具３は、予め釣果予想数を装着しておくのが便利である。また底延防止用立ち上げ浮き４ｇにより、根掛りを防ぐ対策を施している。その位置調整は、固定部４ｆ、４ｈを動かすことにより可能である。使用に当たっては釣場の状況を把握し、おもり着き、おもり無し、フロート使用などの選択をする。図６には通常の使用状態を示す。
【産業上の利用可能性】
【００１９】
バラエティーに富んだ釣果（魚種や大きさ）、及び多目的な釣り行きに対応できるストリンガーとなるので、用途が広がり需要が拡大すると思われる。そしてストリンガーへの意識が変わり、今まで以上に身近な釣具として定着する可能性が考えられる。
そのためには豊富な商品が必要となり、需要に答えるための生産が必要となる。本ストリンガー関連部品にはサイズ及び強度に違いを設けることが出来るため、対応は可能である。
【符号の説明】
【００２０】
１  ワイヤーにより成形された釣具用フィッシュピアス本体
２  ワイヤーにより成形された先端部と紐体連結形の釣具用フィッシュピアス本体
３  釣具フィッシュピアス用のストリンガー金具本体
４  釣具フィッシュピアスを用いるストリンガー本体（ストリンガー金具装着前の状態を指す）
４ｃ  さるかん付きフック
４ｉ  待機ストリンガー金具落下防止用ストッパーの実際
５  下顎が強く歯の鋭い釣り魚の例
６  一般的な釣り魚の例
７  海底
【図１】
0003194726.tif 000003
【図２】
0003194726.tif 000004
【図３】
0003194726.tif 000005
【図４】
0003194726.tif 000006
【図５】
0003194726.tif 000007
【図６】
0003194726.tif 000008
【手続補正書】
【提出日】平成26年6月4日(2014.6.4)
【手続補正１】
【補正対象書類名】実用新案登録請求の範囲
【補正対象項目名】請求項３
【補正方法】変更
【補正の内容】
【請求項３】
請求項１に挙げる４部品のうち、図２に示す「釣具用フィッシュピアス」は、突起２ａのある丸環側から魚の下顎先端部を内部に向けて穿刺し、口腔を経て吻外に貫通させた後、丸環２ｂを連結器として利用し、釣用フック図３の３ａなどで魚をキープし、図５（ｂ）参照。水中で活かすための釣具である。図６参照。
その本体２の形状は、１本のワイヤーをより合わせて成型した先端部２ｃと、後環２ｄを介して後部につないだ紐体２ｅ、それに通した顎宛２ｆから成る。顎宛の背後では紐体を結び２ｇ、魚の抜け防止や顎の保護、更に荷重を支える。顎部にソフトな材料を用いることで、魚の動きが楽になり、顎の保全性も良くなります。また紐体２ｅに色違いのものを用いると、ストリンガーを共同で使う場合、互いの釣った魚を識別できます。
また、この色違いによる識別機能の応用例として、例えば乗り合い船での釣り行きや、仲間内での船釣りなどで、船の生簀を共同利用するときなど、互いに使用するフィッシュピアスの色を決めて置き、目印としてそれぞれの釣り魚に装着しておくと、後で仕分け易く、各自の釣果も分かり易くなる。本物品はソフトで軽量、顎に優しいという特長から、釣り魚識別用のフィッシュピアスとして応用できる。
先端部２ｃには金属などの、硬くて穿刺しやすく耐久性のある材料を使い、顎宛２ｆには板状の天然ゴム又は合成ゴムなどの弾性体、又は合成樹脂などを用いる。
また、本物品の素材に付いては、特に小型魚（ハゼ釣りなど）に用いるフィッシュピアスにあっては、金属部分などを合成樹脂製に替えるなどして更に小型軽量化を図り、魚への負担を軽減して対応する。
以上、ここに挙げる仕組みと形状、及びそれらを元に発現する種々の機能（他の項での説明を含む）などを特徴とするソフトタイプの「釣具用フィッシュピアス」。
【手続補正書】
【提出日】平成26年8月7日(2014.8.7)
【手続補正１】
【補正対象書類名】明細書
【補正対象項目名】全文
【補正方法】変更
【補正の内容】
【考案の詳細な説明】
【技術分野】
【０００１】本考案は、釣り魚を係止して活かすためのストリンガーに関する。
【背景技術】
【０００２】従来のストリンガーは比較的大型の釣り魚を対象としている。従ってフックなどの部品も大型で重量もある。また、係止せしめるためのフックそのものが魚の口からエラ、又は下顎に装着される仕組みである。このため魚への負担は大きく対象となる釣り魚も限定されている。また係止するための紐体には、係止片を用いた固定式の物とフリーの物がある。また必要に応じて紐体に取り付けるストリンガー用係止部材も考案されているが、どれも拘束度合いが強く魚にとっては負担が大きい。（以上、特許文献１〜３参照）
【先行技術文献】
【特許文献】
【０００３】
【特許文献１】特開２００５−１９８５３５号  公報
【特許文献２】特開２０１１−１３５８５３号  公報
【特許文献３】特開２０１２−１５２１６６号  公報
【考案の概要】
【考案が解決しようとする課題】
【０００４】「魚への負担を軽減し、用途を広げる」。特定の魚種や大きさを目的とした釣り行きもあるが、必ずしも目的の魚が釣れる訳ではない。また、釣り人の多くは一般的な釣りを楽しんでいる。このような釣りでは種々の魚が釣れ、大きさも大小不同のことが多い。しかし従来のストリンガーでは、このようなバラエティーに富んだ釣果には対応し辛い。このような釣りでは大きさに対する適用範囲が広く、多種多様の魚に対応できるストリンガーが望ましい。これを解決すればストリンガーの用途は広がり、自分の釣りスタイルに合わせたストリンガーを持つこともできる。これがストリンガーの理想的な形と考える。
【課題を解決するための手段】
【０００５】そこで、新たな仕組みによる「釣り魚装着式連結具を用いるストリンガー」を提供する。図１及び図２に示す釣り魚装着式連結具を用いることにより、係止関連部品の分割と小型軽量化ができる。そのため魚への負担を軽減することができる。また、こうしてできた関連部品図１〜図４（ａ）の４を種々組み合わせることにより、釣り行きに合わせたストリンガーを創ることができる。また、このシステムによるストリンガーは、個人個人の釣りスタイルに合わせたものとなり、最も理想的な形となる。【０００６】本ストリンガーの部品は大きく４種類に分割される。このシステムの中心を担うものは、図１と図２に示す２種類の釣り魚装着式連結具である。これは魚の下顎に装着するもので、先端に設けた丸環１ｂ及び２ｂを連結器として利用する。本物品は魚の顎の形態により、ハードなタイプ（１）とソフトなタイプ（２）が必要である。更に魚を係止するための釣り魚装着式連結具用のストリンガー金具図３と、これを固定するためのロープなどの紐体から成るストリンガー本体、図４（ａ）の４に分割される。下記に各部品の特徴及び役割を説明する。【０００７】まず、図１に示す釣り魚装着式連結具について説明する。本物品は、突起１ａのある丸環側を先端として、魚の下顎先端部から内部に向けて穿刺し、口腔を経て吻外に貫通させた後、丸環１ｂを連結器として利用し、釣用フック３ａなどで魚をキープし、水中で活かすための釣具である。（図５（ａ）及び図６参照）その本体（１）の形状は、１本のワイヤーをより合わせることにより成型されている。これに顎宛１ｃを通し、その背後をハート型１ｄにして魚の抜け防止や顎の保護、更に荷重にも耐えられるよう成型されている。ハート型は顎宛の座りが良く、最も理想的な形状である。製作には金属などの硬い材料（穿刺しやすく耐久性のある物）を使い、顎宛１ｃには板状の天然ゴム又は合成ゴムなどの弾性体、又は合成樹脂などを用いる。図１（ｂ）の側面図に示す形状は、下顎を貫通しやすくすると共に、つないだ後や吊り下げた時、顎をしっかり捕らえるための形状である。物品にはサイズ及び強度に違いを設け、魚種や大きさに対応する。硬くて丈夫なことから多くの魚種や大きさに対応できるが、特に顎が強く歯の鋭い石鯛、石垣鯛、カワハギ、フグなどには最適である。（図５（ａ）及び図６参照）また、ハゼ釣りなどの小型魚に用いる物品にあっては、金属部分を合成樹脂製に替えるなどして小型軽量化を図ることにより、その用途にも対応することができる。【０００８】次に、図２に示す釣り魚装着式連結具について説明する。連結環と紐体を一体化したことに大きな特長を持つ。ソフトで軽量、顎をやさしく保全する。通常の釣り魚にはこれで十分である。鯛でも黒鯛でも大丈夫です。大半の釣り魚に使えます。  本物品は、突起２ａのある丸環側から魚の下顎先端部を内部に向けて穿刺し、口腔を経て吻外に貫通させた後、丸環２ｂを連結器として利用し、釣用フック３ａなどで魚をキープし、水中で活かすための釣具である。（図５（ｂ）及び図６参照）その本体（２）の形状は、１本のワイヤーをより合わせて成型した先端部２ｃと、後環２ｄを介して後部につないだ紐体２ｅ、それに通した顎宛２ｆから成���。顎宛の背後では紐体を結び２ｇ、魚の抜け防止や顎の保護、更に荷重を支える。顎部にソフトな材料を用いることで魚の動きが楽になり顎の保全性も良くなります。また紐体２ｅに色違いのものを用いると、ストリンガーを共同で使う場合互いの釣った魚を識別できます。また、この色違いによる識別機能は、例えば乗り合い船での釣り行きや、仲間内での船釣りなどで船の生簀を共同利用するときなど、互いに使用する釣り魚装着式連結具の色を決めておき、目印としてそれぞれの釣り魚に装着しておくと、後で仕分け易く各自の釣果も分かり易くなる。また顎宛にも色や記号付与などによる変化を持たせると、幾通りもの識別用製品を創ることができる。本物品はソフトで軽量、顎に優しく負担が少ないという特長から釣り魚識別用の目印として、用途の広い独立した形での利用ができる。  先端部２ｃには金属などの硬くて穿刺しやすく耐久性のある材料を使い、紐体２ｅには色変化を持たせる。顎宛２ｆには板状の天然ゴム又は合成ゴムなどの弾性体、又は合成樹脂などを用いる。物品にはサイズ及び強度に違いを設け、魚種や大きさに対応する。また、ハゼ釣りなどの小型魚に用いる物品にあっては、特に金属部分を合成樹脂製に替えるなどして小型軽量化を図ることにより、その用途にも対応することができる。【０００９】  次に、図３に示す釣り魚装着式連結具用のストリンガー金具について説明する。コの字型金具の形状と、軸となる紐体中での魚の動きをフリーにした点などに特長があります。  本物品（３）は釣用フック３ａとさるかん３ｂ及びコの字型金具３ｃを一体化した物で、コの字の両辺３ｄは同大の丸環、縦はストレートな形状となっている。これを「ストリンガー金具」と呼ぶ。この金具にロープなどの紐体を通して固定せしめた上（図４参照）、釣り魚装着式連結具を装着した魚をフック３ａでキープし、水中で活かすための釣具である。（図５及び図６参照）ストリンガーでは魚同士の間隔を保つことは必要である。係止した魚はコの字の縦の辺３ｃを上下左右に動きます。これにより魚は互いの間隔を保ちます。また、金具はロープなどの紐体を軸にフリーなので、魚の動きに合わせて移動できます（図６参照）。これらの動きは魚同士の絡み合いを防ぎます。またストリンガーを水中から吊り上げた時、魚の荷重を下辺にのみ集めて変形を防ぎ恒常性を保ちます。物品にはサイズ及び強度に違いを設け、魚種や大きさに対応する。また、ハゼ釣りなどの小型魚に用いる物品にあっては、コの字型金具を合成樹脂製に替えるなどして小型軽量化を図ることにより、その用途にも対応することができる。【００１０】次に、図４に示す釣り魚装着式連結具を用いるストリンガーについて説明する。これは、利用者の使用目的に合わせて製作できる、新しいストリンガーシステムである。  本物品は、数珠つなぎ（数は任意）にしたストリンガー金具（３）に、釣り魚装着式連結具を装着した魚を次々つなぎ止めて水中に落とし込み、活かすための釣具である（図５及び図６参照）。金具は予め釣果予想数をセットしておくのが便利である。この金具の落下防止は、ゴム紐体などの紐体４ｊの通過抵抗を利用した仕組みである待機金具落下防止用ストッパー４ｉが行う。（図４（ｂ）参照）本��トリンガーの構成は、おもり４ａを細紐体４ｂで（４ｃ）のフックにつなぎ、これを４ｄの結束（又は固定紐など）により４ｅの紐体に固定する。４ｅは４ｇの底延防止用立ち上げ浮きの中を通り、４ｆ、４ｈの結束（又は固定紐など）でこれを固定する。更に上部任意の位置にストッパー用紐体４ｊを装着し（４ｉ）を形成する。その上に必要数のストリンガー金具（３）をセットする。次にロープエンド４ｋを形成すると、釣り魚装着式連結具を用いるストリンガー図４（ａ）が完成する。本物品のストリンガー金具未装着状態のものが本体（４）となる。通常の使い方は、水中に吊り下げたり、海底（図６の７）まで沈めたりして使用するが、底が険しく根掛りが予想される場所では、おもりを着けない状態、もしくは別途フロートを準備しておき、４ｃのフックにつないで水面近くまで浮かせて使用することも可能である（釣場の状況により選択）。図４（ｂ）は縒り紐体ロープの目にストッパー用紐体４ｊを装着した状態を示すものである。このストッパーは、ゴム紐体又は紐体などを用いて本体ロープ４ｅを遮る形に装着する。ストリンガー使用時は、魚に装着した釣り魚装着式連結具の丸環をフック３ａでキープした後、ストッパー用紐体４ｊ上を上から下へ押し下げ、通過後解放する。このストッパー用紐体は、ストリンガー収納時の結束紐として利用する。底延防止用立ち上げ浮き４ｇには円柱穴あき発泡スチロールなどの浮き用素材を用いる。これはロープの根掛り防止や、つないだ魚を底から離すなどの大切な役割を担うものである（図６参照）。また、これらの構成部品には、サイズ及び強度に違いを設け、魚種や大きさに対応すると共に、釣り行きの目的や対象魚によっても種々選択できる仕組みとする。また、本体（４）に用いる紐体に付いては、厳しい使用環境も想定されることから、ワイヤー又はワイヤーロープなどの使用も必要である。以上は本ストリンガー構成の基本型となる。
【考案の効果】
【００１１】上述したように本考案のストリンガーは、釣り魚装着式連結具を中心としたストリンガーシステムである。本物品を用いることにより、魚への負担を軽減すると共に拘束度合いを下げ、魚種や大きさに対する適用範囲を広げ、バラエティーに富んだ釣果や、多種多様の釣り行きに対応できる、用途の広いストリンガーを提供することができる。この機能性は釣り魚装着式連結具の開発によるものである。【００１２】ストリンガーでは魚同士の間隔を保つことは必要である。しかし必要以上の間隔は無駄である。そこで、コの字型金具３ｃにより常に一定の間隔を保った上、本ストリンガーシステムにより、魚の活力や動きを最大限に保全する。こうすることにより魚自らが接触を避けようとして適当に広がり、傷付け合うことは殆どない（但し、カワハギは背鰭棘を切ったほうが良い）。これは、魚を出来るだけフリーの状態でキープし、自身の持つ力を最大限温存して接触回避に役立てようとするものである。魚はストレスを軽減するほど元気で長く生きるので、不要な魚のリリースも容易となる。【００１３】特に紐体を用いた釣り魚装着式連結具（２）は、当たりがソフトで魚への負担が少ない。そのため特に顎が強く歯の鋭い石鯛、石垣鯛、カワハギ、フグなどを除く多くの魚に適している。また紐体２ｅに色違いのものを用いると、ストリンガーを共同で使う場合互いの釣った魚を識別できます。更にこの識別機能は、乗り合い船での釣り行きや仲間内での船釣りなどで船の生簀を共同利用するときなど、互いに使用する釣り魚装着式連結具の色を決めておき、目印としてそれぞれの釣り魚に装着しておくと、後で仕分け易く各自の釣果も分かり易くなる。また顎宛にも色や記号付与などによる変化を持たせると、幾通りもの識別用製品を創ることができる。本物品はソフトで軽量、顎に優しく負担が少ないという特長から釣り魚識別用の目印として、用途の広い独立した形での利用が見込める。【００１４】また釣り魚装着式連結具をはじめ各部品は、従来のストリンガーに比べ軽量で係止方法も間接的である。このため拘束度合いが低くなり魚への負担は少なくなる。使用に当たってはおもりの脱着やフロートの使用も可能で柔軟性がある。更に待機ストリンガー金具落下防止用ストッパーや、底延防止用立ち上げ浮きの採用により使い易く工夫されている。これらは釣場の状況に合わせたセッティングも可能であり柔軟な対応ができる。また、本ストリンガー用部品にはサイズ及び強度の違いにも対応し易い構造的な柔軟性と機能性があるので、製品も豊富となり用途も広がると思われる。これによりストリンガーへの意識も変わり、今まで以上に身近な釣具として定着する可能性が考えられる。そしてこの選べるシステムにより組み立て可能なストリンガーは、個人個人の釣りスタイルに合わせたものとなり最も理想的な形となる。
【図面の簡単な説明】
【００１５】
【図１】ワイヤーから成形された釣り魚装着式連結具。（ａ）は底面斜視図。（ｂ）は側面図
【図２】ワイヤーから成形された先端部と紐体一体形の釣り魚装着式連結具。（ａ）は背面斜視図。（ｂ）は平面図
【図３】釣り魚装着式連結具用のストリンガー金具。（ａ）は斜視図。（ｂ）はフックを開いた状態での平面図。
【図４】釣り魚装着式連結具を用いるストリンガー。（ａ）は待機状態のストリンガー全景。（ｂ）はストッパーの仕組みを示す参考拡大図。
【図５】釣り魚装着式連結具を装着した釣り魚をストリンガー金具にキープした状態を示す。（ａ）は顎が強く歯の鋭い魚の例。（ｂ）はそれ以外の魚の例。
【図６】釣り魚装着式連結具を用いるストリンガーの使用例。
【考案を実施するための形態】
【００１６】本ストリンガーは、２種類の釣り魚装着式連結具（１）及び（２）と、これを装着した魚を係止するためのストリンガー金具（３）及びこれを固定するための主軸となるストリンガー本体（４）などの組み合わせから構成される。これは新しい仕組みによるストリンガーシステムである。
【実施例１】
【００１７】２種類の釣り魚装着式連結具は、１ａ及び２ａの先端から魚の下顎先端部を内部に向けて穿刺し、口腔を経て吻外に貫通させて装着する。次に１ｂ及び２ｂの丸環を連結器として釣り魚装着式連結具用のストリンガー金具（３）でロープなどの紐体４ｅに固定する（図５参照）。金具は数珠つなぎ（数は任意）にしておき、釣り魚装着式連結具を装着した魚を次々つなぎ止めてストッパー用紐体４ｊ上を通過させながら水中に落とし込み活かしていく。これを水中に吊り下げたり海底（７）まで沈めたり（図６参照）、又は浮かせたりして使用する。それは釣り場の状況により選択する。
【実施例２】
【００１８】ストリンガー本体（４）の紐体には待機金具落下防止用ストッパー（４ｉ）が付いているので、ストリンガー金具（３）は、予め釣果予想数を装着しておくのが便利である。また底延防止用立ち上げ浮き４ｇにより、根掛りを防ぐ対策を施している。その位置調整は、固定部４ｆ、４ｈを動かすことにより可能である。使用に当たっては釣場の状況を把握し、おもり着き、おもり無し、フロート使用などの選択をする。図６には通常の使用状態を示す。
【産業上の利用可能性】
【００１９】バラエティーに富んだ釣果（魚種や大きさ）、及び多目的な釣り行きに対応できるストリンガーとなるので用途が広がり需要が拡大すると思われる。そしてストリンガーへの意識が変わり、今まで以上に身近な釣具として定着する可能性が考えられる。そのためには豊富な商品が必要となり需要に答えるための生産が必要となる。本ストリンガー関連部品にはサイズ及び強度に違いを設けることが容易なため対応は可能である。
【符号の説明】
【００２０】１  ワイヤーにより成形された釣り魚装着式連結具本体２  ワイヤーにより成形された先端部と紐体一体形の釣り魚装着式連結具本体３  釣り魚装着式連結具用のストリンガー金具本体４  釣り魚装着式連結具を用いるストリンガー本体（ストリンガー金具装着前の状態を指す）４ｃ  フック付きサルカン４ｉ  待機ストリンガー金具落下防止用ストッパーの実際５  下顎が強く歯の鋭い釣り魚の例６  一般的な釣り魚の例７  海底
【手続補正２】
【補正対象書類名】実用新案登録請求の範囲
【補正対象項目名】全文
【補正方法】変更
【補正の内容】
【実用新案登録請求の範囲】
【請求項１】
釣り魚への負担軽減を目的にストリンガーの小型軽量化を図り、個々に独立した仕組みと形状及びサイズや強度の違いにも対応し易い構造的な柔軟性と機能性を備えた４部品に分割して組み合わせ式としたことを特徴とするストリンガーで、本システムの中心を担う釣り魚装着式連結具（１）及び（２）と、これを装着した魚を係止するためのストリンガー金具（３）及びこれを固定するためのストリンガー本体（４）などの組み合わせから構成される釣り魚装着式連結具を用いるストリンガー。
【請求項２】
釣り魚の下顎に装着し、これを介して間接的にストリンガーに連結するという特徴を持つ本物品は、先端に穿刺を兼ねた連結環を持ち、装着した魚の顎を保全及び固定するための顎宛を備え、その背後をハート型などの形状にして魚の荷重を支えると同時に顎抜けを防止する仕組みとなっており、サイズや強度の違いにも対応し易い構造的な柔軟性と機能性を備えていることなどを特徴とする釣り魚装着式連結具（１）。
【請求項３】
連結環と紐体を一体化したことに大きな特長を持つもので、釣り魚の下顎に装着し、これを介して間接的にストリンガーに連結するという特徴を持つ本物品は、穿刺を兼ねた連結環を持つ先端部と色違いの紐体を用いて一体化した紐体部に、装着した魚の顎を保全及び固定するための顎宛を備え、その背後で紐体を結ぶという形で魚の荷重を支えると同時に顎抜けを防止する構造を持ち、ソフトで軽量、顎に優しく魚への負担が少ないこと、部材の色別及び組み合わせ変化などにより識別機能が確保できること、サイズや強度の違いにも対応し易い構造的な柔軟性と機能性を有することなどを特徴とする釣り魚装着式連結具（２）
【請求項４】
コの字型金具を基に釣り具用フック及びサルカンなどを組み合わせて成型された本物品は、係止された魚同士の一定間隔を確保すると共に、釣り魚装着式連結具を着けた魚を間接的に連結し、軸となる紐体中での魚の動きもフリーにして拘束度合いを下げ、ストリンガーを吊り下げた時の魚の荷重を下辺にのみ集めて恒常性を保つなどの形状を基にした特長を持つと共に、サイズや強度の違いにも対応し易い構造的な柔軟性と機能性を備えていることなどを特徴とする釣り魚装着式連結具用のストリンガー金具（３）。
【請求項５】
使用目的による選択あるいは組み直しなどの変更が容易で、サイズや強度の違いにも対応し易い構造的な柔軟性と機能性を備えたストリンガーシステムで、その形状は紐体を主軸として、おもり、フック付きサルカン、底延防止用立ち上げ浮き、待機ストリンガー金具落下防止用ストッパーなどの組み合わせから構成されることを特徴とするストリンガー本体（４）。
【手続補正書】
【提出日】平成26年10月14日(2014.10.14)
【手続補正１】
【補正対象書類名】実用新案登録請求の範囲
【補正対象項目名】全文
【補正方法】変更
【補正の内容】
【実用新案登録請求の範囲】
【請求項１】
一本のワイヤで成型され、一端に設けた突起（１ａ）を備えた丸環（１ｂ）と他端を顎宛（１ｃ）に通し、顎宛（１ｃ）の背後にハート型（１ｄ）を備えた第１の魚装着式連結具（１）と、一本のワイヤで成型された一端に設けた突起（２ａ）を備えた丸環（２ｂ）と他端の先端部（２ｄ）と顎宛（２ｆ）とを紐体（２ｅ）で連結し、顎宛（２ｆ）の背後に紐体の結び（２ｇ）を備えた第２の魚装着式連結具（２）と、第１の魚装着式連結具（１）の丸環（１ｂ）又は第２の魚装着式連結具（２）の丸環（２ｂ）を連結するための釣用フック（３ａ）と両端に丸環（３ｄ）を備えたコの字型金具（３ｃ）とをさるかん（３ｂ）で連結することにより形成されたストリンガー金具（３）と、一端におもり（４ａ）を有し、ストリンガー金具（３）のコの字型金具（３ｃ）の丸環（３ｄ）に挿通される紐体（４ｅ）により形成されたストリンガー本体（４）とを備えた釣り魚装着式連結具を用いるストリンガーにおいて、ストリンガー本体（４）は、紐体（４ｅ）の任意の位置にストッパー用紐体（４ｊ）を装着し、その上に必要数のストリンガー金具（３）をセットすることを特徴とする釣り魚装着式連結具を用いるストリンガー。